(57)【特許請求の範囲】
【請求項１】
上枠、下枠、および左右の縦枠を有する窓枠と、
前記窓枠内に支持される障子と、
前記窓枠内に支持され、剛性を有する金属製の網材が張設された網戸と、
前記網戸を閉位置で固定する錠と、を備え、
前記網材の網目は０．７ｍｍ乃至１０．０ｍｍの範囲内であり、
前記窓枠は、室内側に配設される第一の窓枠と、室外側に配設される第二の窓枠と、が連結されてなり、
前記第二の窓枠の下枠は短手方向断面が矩形状の中空構造となっており、
前記第二の窓枠の下枠の室内側の側面は前記第一の窓枠の下枠の室外側の側面と接触していることを特徴とする建具。
【請求項２】
前記網材は鋼またはステンレス鋼からなり、
前記網材の線径は０．６ｍｍ乃至１．２ｍｍであることを特徴とする請求項１に記載の建具。
【請求項３】
前記窓枠内には二枚の前記障子が引き違い可能に支持され、
前記網戸の閉位置側の一の前記障子を開放した状態で、前記網戸および他の前記障子を閉位置で固定する錠を備え、
前記網戸には戸尻側の縦框よりも戸先側に錠または錠受けが取り付けられることを特徴とする請求項１または請求項２に記載の建具。
【請求項４】
前記網戸は前記窓枠内の最も外側に支持されることを特徴とする請求項１から請求項３のいずれか一項に記載の建具。
【請求項５】
前記網材はＳＵＳ３１６からなり、
前記障子は二枚のガラスが中間膜により接着された合わせガラスを用いたガラス戸であることを特徴とする請求項２から請求項４のいずれか一項に記載の建具。
【発明の詳細な説明】
【技術分野】
【０００１】
本発明は建具に関し、さらに詳しくは、金属製の網材を用いることにより防犯性を高めた網戸を備える建具に関する。
【背景技術】
【０００２】
一般に住宅等に設置される窓には、室内と室外とを遮断するガラス戸と、虫等の侵入を防ぎつつ外気を室内に流通させる網戸とが備えられている。ガラス戸にはクレセント錠などの施錠機構が設けられ、ガラス戸を閉状態で施錠することにより窓から不審者等が侵入することを防ぐ構造となっている。
【０００３】
ガラス戸解放時における防犯性が考慮された網戸としては、例えば下記特許文献１に開示されているように、金属製の網材が用いられた網戸や、錠が設けられた網戸等が知られている。
【先行技術文献】
【特許文献】
【０００４】
【特許文献１】特開２０１０−０５３６４６号公報
【発明の概要】
【発明が解決しようとする課題】
【０００５】
しかし、特許文献１のような網戸においても、不審者等の侵入を阻止しているのは実質的に網戸の枠体に設けられた縦桟や横桟などの格子である。つまりこれは網材が張設された格子障子ともいえる。このような網材が張設された格子障子は一般的な網戸と比べ通風性および眺望性に劣る。
【０００６】
また一般に、格子障子に設けられた格子は人の手が入る程度の間隔を有することが多く、施錠が可能な格子障子であっても格子の隙間から手を回して開錠されてしまうおそれがある。そのため、外から手が届きにくい位置に格子障子の錠を設けたり、特許文献２のように開錠方法を複雑にしたりするなど、特殊な施錠機構が必要となる。一方で格子障子の格子の間隔を人の手や指が入らない程度に詰めた場合、単位面積あたりの開口率が著しく低下してしまい、通風性および眺望性との両立が困難となる。また、いずれの格子障子についても、小さな虫の侵入を防ぐためには別途網材を張設する必要がある。
【０００７】
上記問題に鑑み、本発明が解決しようとする課題は、剛性を有する金属製の網材が張設された施錠可能な網戸を用いることにより、不審者の侵入等を防ぎつつ、別途格子や特殊な施錠機構を備える必要のない建具を提供することにある。
【課題を解決するための手段】
【０００８】
上記課題を解決するため、本発明の建具は、上枠、下枠、および左右の縦枠を有する窓枠と、前記窓枠内に支持される障子と、前記窓枠内に支持され、剛性を有する金属製の網材が張設された網戸と、前記網戸を閉位置で固定する錠と、を備え、前記網材の網目は０．７ｍｍ乃至１０．０ｍｍの範囲内であることを要旨とする。
【０００９】
剛性を有し、手や指を挿し入れることができない程度の網目を有する網材が張設された網戸を閉位置で施錠することにより、別途格子を設けることなく、不審者等が網戸を破壊して室内に侵入することを阻止できる。
【００１０】
また、前記網材は鋼またはステンレス鋼からなり、前記網材の線径は０．６ｍｍ乃至１．２ｍｍであること構成としても良い。
【００１１】
切断が困難な線材を用いることにより、網戸の防犯性をさらに高めることができる。
【００１２】
また、前記窓枠内には二枚の前記障子が引き違い可能に支持され、前記網戸の閉位置側の一の前記障子を開放した状態で、前記網戸および他の前記障子を閉位置で固定する錠を備え、前記網戸には戸尻側の縦框よりも戸先側に錠または錠受けが取り付けられる構成としても良い。
【００１３】
本発明にかかる網戸は破壊が困難であるため、室外側から手を回せない位置に網戸の錠を配したり、複雑な施錠機構を用いたりする必要がなく、網戸の施錠手段や施錠位置について自由度の高い建具を提供することできる。
【００１４】
また、前記網戸は前記窓枠内の最も外側に支持される構成としても良い。
【００１５】
本発明にかかる網戸は一般的なガラス戸よりも頑丈であるため、網戸を最も外側に配すことにより障子の一部を常に保護することができる。
【００１６】
また、前記網材はＳＵＳ３１６からなり、前記障子は二枚のガラスが中間膜により接着された合わせガラスを用いたガラス戸である構成としても良い。
【００１７】
一般的な手段によっては破断不能な網材を備え、また、障子には防犯性に優れた合わせガラスを用いることにより、建具全体における脆弱性を排除し、優れた防犯性を備えた建具を提供することができる。
【００１８】
また、前記窓枠は、室内側に配設される第一の窓枠と、室外側に配設される第二の窓枠と、が連結されてなり、前記第二の窓枠の下枠は短手方向断面が矩形状の中空構造となっており、前記第二の窓枠の下枠の室内側の側面は前記第一の窓枠の下枠の室外側の側面と接触している構成としても良い。
【００１９】
第二の窓枠が第一の窓枠の側面に接触していることにより、第二の窓枠にかかる荷重が第一の窓枠側にも分散され、第二の窓枠が支持可能な重量を大きくすることができる。これは腰高窓など、地面を利用して荷重を支持することができない窓枠において特に有効である。また、広く一般に流通している引き違いサッシ窓に本発明における第二の窓枠を増設することにより、短期間かつ低コストで安定した品質の建具を提供することが可能となる。
【発明の効果】
【００２０】
本発明にかかる建具によれば、不審者の侵入等を防ぎつつ、別途格子や特殊な施錠機構を備える必要のない建具を提供することができる。
【図面の簡単な説明】
【００２１】
【図１】本実施形態におけるサッシ窓を室内側から見た外観図である。
【図２】本実施形態における網戸の横方向断面図である。
【図３】本実施形態における網戸の縦方向断面図である。
【図４】本実施形態における金網の折曲部の部分拡大図である。
【図５】本実施形態におけるサッシ窓の横方向断面図である。
【図６】本実施形態におけるサッシ窓の縦方向断面図である。
【図７】網戸を中央レールに配置したサッシ窓を室内側から見た外観図である。
【発明を実施するための形態】
【００２２】
以下、本発明の実施形態について図面を用いて詳細に説明する。尚、以下の説明における障子や網戸の「戸先」とは、障子や網戸を閉位置に置いたときに窓枠の縦枠に当接する側をいい、「戸尻」とはその反対側をいう。
【００２３】
図１は本実施形態におけるサッシ窓１を室内側から見た外観図である。サッシ窓１は住宅等の壁開口部に設置される建具であり、上枠４１、下枠４２、および左右の縦枠４３が枠組みされたアルミ製の窓枠４と、下枠４２に形成された三本のレールに摺動可能に支持された二枚の障子３１、３２および網戸２と、を備える。尚、窓枠４に用いられる金属材はアルミに限られず、ステンレス等、他の金属材を用いることもできる。
【００２４】
窓枠４の三本のレールには、室内側から順に二枚の障子である内障子３１、外障子３２、および網戸２が引き違い可能に支持されている。
【００２５】
内障子３１および外障子３２はそれぞれ、上框３１１、３２１、下框３１２、３２２、戸尻框３１３、３２３、および戸先框３１４、３２４が枠組みされたアルミ製の框体にガラスが装着されたガラス戸である。
【００２６】
網戸２は上框２１、下框２２、戸尻框２３、および戸先框２４が枠組みされた框体に、剛性を有するステンレス製の網材である金網６が張設されたものである。本実施形態における金網６は、線径０．８ｍｍのＳＵＳ３１６の線材を網目の目合いが１．５ｍｍとなるよう平織りしたものである。金網の強度を重視する場合は本実施形態における金網６を用いることが好適であるが、必要とされる防犯性能や許容されるコストに応じてＳＵＳ３０４等、他のステンレス鋼や、スチール、チタン、アルミ、銅、真鍮、インコネル（登録商標）、ハステロイ（登録商標）など他の金属材を用いることもできる。
【００２７】
金網６に剛性を持たせつつ通風性や眺望性との両立を図るためには、金網６の線径は０．６ｍｍ乃至１．２ｍｍの範囲内とすることが望ましい。金網６の網目は、人の手や指が挿し入れられない目合いとする必要があるため１０．０ｍｍ以下とすることが望ましい。一方、例えば高度な防虫性能が要求される場合など、網目を可能な限り小さくする必要がある場合における目合いは、前述の線径の範囲や通風性および眺望性との両立を考慮すると、０．７ｍｍ以上とすることが現実的である。
【００２８】
内障子３１の戸先框３１４、外障子３２の戸先框３２４、および網戸２の戸先框２４にはそれぞれ鎌錠５１、５２、および５３が設けられており、窓枠４の左右の縦枠４３のこれら鎌錠に対応する位置には錠受けが設けられている。網戸２、内障子３１、外障子３２全てに鎌錠が設けられていることにより、網戸２の閉位置側の一の障子である内障子３１を開放した状態で、網戸２と他の障子である外障子３２を施錠することが可能とされている。
【００２９】
鎌錠５１、５２、および５３はいずれも、室内側に設けられたサムターンを指で挟んで回動させることにより鎌錠が出没する一般的な構造のものである。線径０．８ｍｍのＳＵＳ３１６の線材が平織りされた網材６を破断することは困難であり、また、網目が１．５ｍｍであることから、手や指のみならず一般的な工具も網目から挿し入れることができない。よって、網戸２の戸先框２４にサムターンを設けても防犯性が損なわれず、複雑な施錠機構を用いる必要もない。
【００３０】
上記施錠機構は一例であり、その他、例えば内障子３１と外障子３２とをクレセント錠で施錠可能とし、外障子３２と網戸２とを押し出し方式のロック片やファスナーロック等の補助錠により施錠可能とする構成でも良い。要は内障子３１と外障子３２の両方を閉塞した状態で内障子３１および外障子３２を摺動不能に固定することができ、また、網戸２と外障子３２を閉塞し内障子３１を開放した状態で網戸２および外障子３２を摺動不能に固定できればよく、施錠方法が手動によるものか自動によるものかも問わない。
【００３１】
図２は網戸２の横方向断面図、図３は網戸２の縦方向断面図、図４は金網６の折曲部６１の部分拡大図である。金網６は網戸２の厚み方向において見付方向室外側の開口部を塞ぐよう張設されている。窓枠２の框体は断面矩形状の中空部材からなる。戸尻框２３の室内側の側面には煙返し６５が形成されており、煙返し６５が外障子３２の対応する煙返しと係合することにより気密性および防犯性が高められている。本実施形態における網戸２の框体はアルミ製であるが、ステンレス等、他の金属材を用いても良い。
【００３２】
図４に示されるように、金網６は端部が折り曲げられることにより形成された折曲部６１を有している。折曲部６１の内角側には短手方向の断面が矩形状の第一の挟持部材６２が配設され、折曲部６１の外角側には短手方向の断面が略Ｌ字状の第二の挟持部材６３が折曲部６１の外角側を覆うように配設されることにより、折曲部６１はその全面がこれら第一の挟持部材６２および第二の挟持部材６３により挟持されている。折曲部６１は金網６の全周に渡って形成されており、第一の挟持部材６２および第二の挟持部材６３も、図２および図３にその一部が示されるように矩形状の枠体となっている。
【００３３】
第一の挟持部材６２および第二の挟持部材６３は金網６と同じ種類の金属材であるＳＵＳ３０４からなる。折曲部６１が第一の挟持部材６２および第二の挟持部材６３に挟持された状態で、これらが同じくＳＵＳ３０４製のＴＲＸねじ６４により網戸２の框体に固定されている。
【００３４】
折曲部６１の内角側に第一の挟持部材６２が配設され、金網６が第一の挟持部材６２に掛止されていることにより、室外側から金網６に加えられる力に対して、金網６自体の剛性が金網６の固定力に転換され、金網６を框体から強引に外すことが困難となっている。金網６が上記効果を発揮するためには少なくとも、金網６に外力が加えられても折曲部６１の基本的な形状が維持される程度の剛性を備えた線材が用いられている必要がある。
【００３５】
本実施形態においては折曲部６１を用いて金網６を強固に固定しているが、そのほかにも、折曲部６１を形成することなく、金網６の端部を第一の挟持部材６２に溶接するという方法もある。
【００３６】
図５はサッシ窓１の横方向断面図、図６はサッシ窓１の縦方向断面図である。サッシ窓１の窓枠４は、二本のレールを有する窓枠である第一の窓枠４ａが室内側に配設され、一本のレールを有する第二の窓枠４ｂが室外側に配設され、これら第一の窓枠４ａと第二の窓枠４ｂとがねじにより連結された構造となっている。本実施形態におけるサッシ窓１は腰高窓であり、第一の窓枠４ａは住宅等の外壁に支持されているが、第二の窓枠４ｂは外壁よりも外側に位置しており外壁には支持されていない。尚、本実施形態における内障子３１および外障子３２のガラスには、二枚のガラスが樹脂からなる中間膜で接着された合わせガラスを複層構造としたものが用いられており、内障子３１および外障子３２がサッシ窓１における防犯上の脆弱性となることが防止されている。さらに、内障子３１および外障子３２よりも頑丈な網戸２が窓枠４の最も外側に配設されていることにより、内障子３１または外障子３２の室外側の面が常に網戸２により保護されている。
【００３７】
図６に示されるように、第二の窓枠４ｂの下枠４１ｂは短手方向断面が矩形状の中空構造となっている。下枠４１ｂの室内側の側面は第一の窓枠４ａの下枠４１ａの室外側の側面と接触している。かかる構造により第二の窓枠４ｂにかかる荷重が第一の窓枠４ａ側にも分散され、第二の窓枠４ｂはより大きな重量を支持可能とされている。本発明における網戸２は金属材が多く用いられ通常の網戸よりも重量が大きいが、第二の窓枠４ｂが上記構造であることにより支持することが可能となっている。
【００３８】
本実施形態における第二の窓枠４ｂの下枠４１ｂの室内側の側面は、第一の窓枠４ａの下枠４１ａの網戸レールを迂回しつつ下枠４１ａの側面に接触しているため断面視段状に形成されているが、下枠４１ａの網戸レールを切除し、下枠４１ｂの室内側の側面全面を下枠４１ａの側面に接触させる構造としても良い。
【００３９】
尚、図７に示すように、網戸２の配設位置は室外側のレールに限られず、中央のレールに配設しても良い。
【００４０】
以上、本発明の実施の形態について詳細に説明したが、本発明は上記実施の形態に何ら限定されるものではなく、本発明の要旨を逸脱しない範囲で種々の改変が可能である。
【符号の説明】
【００４１】
１  サッシ窓
２  網戸
２１  上框
２２  下框
２３  戸尻框
２４  戸先框
３１  内障子
３１１  内障子３１の上框
３１２  内障子３１の下框
３１３  内障子３１の戸尻框
３１４  内障子３１の戸先框
３２  外障子
３２１  外障子３２の上框
３２２  外障子３２の下框
３２３  外障子３２の戸尻框
３２４  外障子３２の戸先框
４  窓枠
４ａ  第一の窓枠
４１ａ  第一の窓枠４ａの下枠
４ｂ  第二の窓枠
４１ｂ  第一の窓枠４ｂの下枠
４１  窓枠４の上枠
４２  窓枠４の下枠
４３  窓枠４の左右の縦枠
５１、５２、５３  鎌錠
６  金網
６０  網固定部材
６１  折曲部
６２  第一の挟持部材
６３  第二の挟持部材
６５  煙返し
【図１】
0006051182.tif 000002
【図２】
0006051182.tif 000003
【図３】
0006051182.tif 000004
【図４】
0006051182.tif 000005
【図５】
0006051182.tif 000006
【図６】
0006051182.tif 000007
【図７】
0006051182.tif 000008